(57)【要約】      （修正有）【課題】うす暗い飲食店等で、客の入店直後に目が慣れない状態でも、店内の電灯などの配線を入れ替えることなく足元を明るく照らし、店内の雰囲気も損なうことなく安全に歩行できるＬＥＤ照明装置を提供する。【解決手段】ＬＥＤランプ、人体センサー２、および小型スピーカを有する照明装置本体１を樽椅子１１にはめ込み、バーなどのカウンター２０の前に椅子として配置する。樽椅子の背後に人が通ると人体センサーの検知で足元に照明を照射する。また、照射しているときに音声で足元を注意してくださいなどの注意をしてくれ、暗い店内を安全に歩行できる。【選択図】図５
0003212783.tif 000002
【実用新案登録請求の範囲】
【請求項１】
インテリア用樽椅子の間接照明として樽にはめ込める円型のＬＥＤ照明装置で暗い空間の床に照明を照らす、又、人体センサーを用い人が近づいたときに一定時間ＬＥＤを点灯させることで暗い店内の雰囲気を作り、足元も一定時間、照らすことで安全に椅子に座ることができる。
【請求項２】
前述、電源はリチュウムイオン電池を用いプリント基板で電池を昇圧しＬＥＤを点灯させる。消費電流を抑えることで省エネルギータイプの照明装置になる。且つプリント基板に人体センサーを設け、人体を検知したときのみ一定時間ＬＥＤを点灯する。
【請求項３】
前述装置に、音声合成を設け、人体検出の時に音声で座る場所などの注意を促す。
前記、光源はＬＥＤ照明ユニットであり、前期ＬＥＤ駆動はバッテリーからの電圧をプリント基板内で昇圧を行いＬＥＤを点灯する。
前記照明装置は、電源にリチュウムイオン電池を用い、プリント基板内で、充電回路を設けることで使用範囲が特定することのない状態で使用することができる。
【考案の詳細な説明】
【技術分野】
【０００１】  本考案は、樽の椅子にはめ込め、電源をリチュウムイオン電池で駆動し、人体センサーを用い光源を自動的にオン、オフあるいは点灯時間を選定でき、音声で応答するＬＥＤ照明装置に関するものである。
【背景技術】
【０００２】  今、インテリアとして、樽の椅子を使用したＢＡＲや居酒屋が流行っている。中でも大人の雰囲気を作り出す店内では、室内が暗い。最初に入店するとき目が慣れるまで足元などは不安である。しかし、客の入店ごとに一定時間店内の照明を明るくすることは、不可能である。【０００３】  このような背景で、足元に客が来たときのみ照明をピンポイントで照射するためには、その場所に配線を行い電源をもって来る必要があり店内の雰囲気を損なってしまう。
【先行技術文献】
【特許文献】
【０００４】
【特許文献１】
【特許文献２】
【非特許文献】
【０００５】
【非特許文献１】
【非特許文献２】
【考案の概要】
【考案が解決しようとする課題】
【０００６】  以上の問題点に鑑みて、本考案は椅子である樽にピンポイントで照射するＬＥＤの照明装置を取り付け、照明装置に設置された人体センサーで客を感知した時に一定時間椅子の周りの一部の空間を明るくすることで店内の雰囲気を変えることなく足元の安全を確保でき、音声で足元に注意を促す充電のできるバッテリー駆動の照明装置を提供することを目的とする。
【課題を解決するための手段】
【０００７】  本考案の照明装置１は、樽１１の外輪に    はめ込むよう円筒の照明ケースにＬＥＤを装填し照明ケース内に電池、及びプリント基板及び小型スピーカが収納できる照明ユニットと、バッテリー充電用ジャックを照明装置に設け一体化のユニットになる。
【考案の効果】
【０００８】  本考案に係る照明装置１は、円筒形のケースにＬＥＤ、プリント基板、人体センサー、バッテリーが一体化しているため樽に取り付けが簡単に行える。【０００９】  うす暗い飲食店に入店時、目がまだ慣れていない時手探りで席を探す事がある。本開発品を使用すると、入店時に人体センサーで人体を認識した場合に足元のみ照射し目的の席になんの障害もなく着席することができる。そのため懸念されている店内の雰囲気を損なうことなく安全に客を誘導できる。【００１０】また、照明装置に組み込まれた音声合成で足元注意などの音声で客に注意を促すことでより一層安全に歩行することができる。
【図面の簡単な説明】
【００１１】
【図１】本案件の全体の斜図である。
【図２】１に示した全体斜図を縦に分割した断面図である。
【図３】１に示した斜図の上部の透視図である。
【図４】照明装置１に樽１１をはめたイメージ図。
【図５】運用時の配置図（参考）
【考案を実施するための形態】
【００１２】  本案件の照明装置１は、樽椅子１１をターゲットとして考案したもので、円筒形をしたものである。樽は縦にすると真ん中あたりが膨らんでいて、上下は真ん中より細くなっている。照明装置と樽椅子大きさ（直径）の関係は樽最大直径＞照明装置＞樽最小直径となり樽の半分より下側にはめ込むことができる。
【実施例】
【００１３】以下、添付図面に従って実施例を説明する。１１はインテリアの樽で人が座れるものである。樽１１に照明装置１をはめ込み本開発品の照明装置となる。８のＳＷをオンすることによりプリント基板３にバッテリー９の電源がプリント基板３に供給されると同時に、ロータリーＳＷ１０の設定時間をプリント基板３で認識させる。【００１４】初期状態が終わると。人体センサーが常に監視状態に入り照明装置から５ｍ以内に人が近づくと
取り付け後、ＳＷ８をオンすることで照明装置１が起動され、人体を検出した時、ＬＥＤランプ４が点灯し足元を一定時間照射する。【００１５】同時に、プリント基板３に実装されている音声合成で足元注意などをスピーカ６から音声で注意を促す。【００１６】ロータリーＳＷ１０で設定された時間経過後、ＬＥＤランプ４が点灯を終了する。
【符号の説明】
【００１７】１      照明装置本体
２      人体センサー
３      プリント基板
４      ＬＥＤランプ
５      照明装置断面
６      小型スピーカ
７      ＤＣジャック
８      電源ＳＷ
９      バッテリー
１１    樽椅子
２０    カウンター
【図１】
0003212783.tif 000003
【図２】
0003212783.tif 000004
【図３】
0003212783.tif 000005
【図４】
0003212783.tif 000006
【図５】
0003212783.tif 000007
【手続補正書】
【提出日】平成29年7月19日(2017.7.19)
【手続補正１】
【補正対象書類名】実用新案登録請求の範囲
【補正対象項目名】全文
【補正方法】変更
【補正の内容】
【実用新案登録請求の範囲】
【請求項１】
インテリア用樽椅子の間接照明として樽にはめ込める円筒形のＬＥＤ照明装置であって、人体センサーを有し、人体センサーを用い人が近づいたときに一定時間ＬＥＤを点灯させることで暗い店内の雰囲気を作り、暗い空間の床に照明を照も一定時間照らすことができ、安全に椅子に座ることができることを特徴とするＬＥＤ照明装置。
【請求項２】
電源はリチュウムイオン電池を用いプリント基板で昇圧しＬＥＤを点灯させることで消費電流を抑え、省エネルギータイプになり、且つ、プリント基板に人体センサーを設け、人体を検出したときのみ一定時間ＬＥＤを点灯する請求項１に記載のＬＥＤ照明装置。
【請求項３】
前記ＬＥＤ照明装置に、音声合成を設け、人体検出の時に音声で座る場所などの注意を即し、光源はＬＥＤ照明ユニットであり、ＬＥＤ駆動は電池からの電圧をプリント基板内で昇圧することにより行い、前述ＬＥＤ照明装置は、電源はリチュウムイオン電池を用い、プリント基板内で充電回路を設ける請求項１に記載のＬＥＤ照明装置。
【手続補正書】
【提出日】平成29年7月20日(2017.7.20)
【手続補正１】
【補正対象書類名】実用新案登録請求の範囲
【補正対象項目名】全文
【補正方法】変更
【補正の内容】
【実用新案登録請求の範囲】
【請求項１】
インテリア用樽椅子の間接照明として樽にはめ込める円筒形のＬＥＤ照明装置であって、人体センサーを有し、人体センサーを用い人が近づいたときに一定時間ＬＥＤを点灯させることで暗い店内の雰囲気を作り、暗い空間の床に照明を照らすことで足元も一定時間照らすことができ、安全に椅子に座ることができることを特徴とするＬＥＤ照明装置。
【請求項２】
電源はリチュウムイオン電池を用いプリント基板で昇圧しＬＥＤを点灯させることで消費電流を抑え、省エネルギータイプになり、且つ、プリント基板に人体センサーを設け、人体を検出したときのみ一定時間ＬＥＤを点灯する請求項１に記載のＬＥＤ照明装置。
【請求項３】
前記ＬＥＤ照明装置に、音声合成を設け、人体検出の時に音声で座る場所などの注意を促し、光源はＬＥＤ照明ユニットであり、ＬＥＤ駆動は電池からの電圧をプリント基板内で昇圧することにより行い、前記ＬＥＤ照明装置は、電源にリチュウムイオン電池を用い、プリント基板内で充電回路を設ける請求項１に記載のＬＥＤ照明装置。